(57)【特許請求の範囲】
【請求項１】
他網又は加入者端末に接続された発局及び着局の交換機の呼処理を行う呼処理方法において、
発呼者から前記発局に入力されたアドレス信号に基づき、該発局が前記着局を決定してその着局へ前記アドレス信号を送信すると共に、前記発呼者が使用中のベアラ情報を取得してそのベアラ情報を該発局の情報記憶部にベアラ設定のデフォルト値として記憶する第１のステップと、
前記第１のステップにより決定された前記着局が、前記発局からの前記アドレス信号を受信し、そのアドレス信号に基づき着信先を決定する第２のステップと、
前記第２のステップにより決定した着信先の接続形態に応じて、前記着局がベアラ種別を選択する第３のステップと、
前記第３のステップにより選択されたベアラ種別情報を含む応答信号を、前記着局から前記発局へ送信する第４のステップと、
前記発局が前記応答信号を受信して、その受信信号に含まれる前記ベアラ種別情報と同じベアラ種別が該発局に接続された前記他網にあるときはそのベアラ種別に決定し、該発局に接続された前記他網にないときは前記情報記憶部に記憶されている前記デフォルト値のベアラ種別に決定する処理を該発局の呼制御部により行い、その決定したベアラ種別の確立要求を該発局内のベアラ制御部に対して行う第５のステップと、
該発局内のベアラ制御部が該確立要求内の前記ベアラ種別を確認し、確認した該ベアラ種別の確立のためのベアラ設定を行うと共に、該発局内の信号制御部を介して前記着局へベアラ設定要求を送信する第６のステップと、
前記着局が、前記ベアラ設定要求を受信し、その受信信号中から前記発局で設定したベアラ種別に基づきベアラの設定を行うと共に、ベアラ確立により該着局から着信先に前記アドレス信号を送信し、かつ、前記発局へベアラ設定応答信号を送信する第７のステップと、
前記発局が、前記ベアラ設定応答信号を受信してベアラ確立応答を行う第８のステップと
を含むことを特徴とする呼処理方法。
【請求項２】
他網又は加入者端末に接続された発局及び着局の交換機の呼処理を行う呼処理方法において、
発呼者から前記発局に入力されたアドレス信号に基づき、該発局が前記着局を決定してその着局へ前記アドレス信号を送信すると共に、前記発呼者が使用中のベアラ情報を取得してそのベアラ情報を該発局の情報記憶部にベアラ設定のデフォルト値として記憶する第１のステップと、
前記第１のステップにより決定された前記着局が、前記発局からの前記アドレス信号を受信し、そのアドレス信号に基づき着信先を決定する第２のステップと、
前記第２のステップにより決定した着信先の接続形態に応じて、前記着局がベアラ種別を選択する第３のステップと、
前記着局が前記第３のステップにより選択されたベアラ種別情報のベアラ設定を行うと共に、その設定したベアラ種別のベアラ設定要求を前記発局へ送信する第４のステップと、
前記発局が前記ベアラ設定要求を受信して、その受信信号に含まれる前記ベアラ種別情報と同じベアラ種別が該発局に接続された前記他網にあるときはそのベアラ種別に決定し、該発局に接続された前記他網にないときは前記情報記憶部に記憶されている前記デフォルト値のベアラ種別に決定する処理を該発局の呼制御部により行い、その決定したベアラ種別の確立要求を該発局内のベアラ制御部に対して行う第５のステップと、
該発局内のベアラ制御部が該確立要求内の前記ベアラ種別を確認し、確認した該ベアラ種別の確立のためのベアラ設定を行うと共に、該発局内の信号制御部を介して前記着局へベアラ設定応答信号を送信する第６のステップと、
前記着局が、前記ベアラ設定応答信号を受信してベアラ確立応答を行う第７のステップと
を含むことを特徴とする呼処理方法。
【請求項３】
前記第３のステップは、前記着信先が他網の局であるときは、その他網の局に接続されている回線種別に対応したベアラ種別として選択し、前記着信先が前記加入者端末であるときには、その加入者端末が契約しているベアラサービスのベアラを選択することを特徴とする請求項１又は２記載の呼処理方法。
【請求項４】
他網又は加入者端末に接続された発局及び着局の交換機の呼処理を行う呼処理システムにおいて、
前記発局は、
制御信号の送受信を行う第１の信号制御部と、
呼設定情報を記憶し、読み出される第１の情報記憶部と、
前記第１の信号制御部を介して入力された発呼者からの情報に基づき、前記着局を決定し、その着局へ着信先の接続形態情報を含むアドレス信号を前記第１の信号制御部から出力させると共に、前記発呼者が使用中のベアラ情報を取得し、そのベアラ情報を前記第１の情報記憶部にベアラ設定のデフォルト値として記憶し、前記第１の信号制御部により前記着局から送信されたベアラ設定応答信号を受信したときは、そのベアラ設定応答信号に含まれる前記ベアラ種別情報と同じベアラ種別が該発局に接続された前記他網にあるときはそのベアラ種別に決定し、該発局に接続された前記他網にないときは前記第１の情報記憶部に記憶されている前記デフォルト値のベアラ種別に決定し、決定したベアラ種別の確立要求を出力する第１の呼制御部と、
前記第１の呼制御部から出力された前記確立要求内の前記ベアラ種別を確認し、ベアラ確立のためのベアラ設定を行うと共に、前記第１の信号制御部からベアラ設定要求を送信させる第１のベアラ制御部とを有し、
前記着局は、
制御信号の送受信を行う第２の信号制御部と、
呼設定情報を記憶し、読み出される第２の情報記憶部と、
前記第２の信号制御部により受信された前記発局からの前記アドレス信号に基づき着信先を決定し、その決定した着信先の接続形態に応じてベアラ種別を選択し、選択したベアラ種別情報を含む応答信号を前記発局へ前記第２の信号制御部から出力させ、ベアラ確立指示により前記アドレス信号を前記着信先へ前記第２の信号制御部から出力させる第２の呼制御部と、
前記第２の信号制御部により受信された前記発局からの前記ベアラ設定要求に基づきベアラの設定を開始し、設定終了後にベアラ確立指示を行うと共に、前記第２の信号制御部から前記ベアラ設定応答信号を出力させる第２のベアラ制御部とを有する
ことを特徴とする呼処理システム。
【請求項５】
他網又は加入者端末に接続された発局及び着局の交換機の呼処理を行う呼処理システムにおいて、
前記発局は、
制御信号の送受信を行う第１の信号制御部と、
呼設定情報を記憶し、読み出される第１の情報記憶部と、
前記第１の信号制御部を介して入力された発呼者からの情報に基づき、前記着局を決定し、その着局へ着信先の接続形態情報を含むアドレス信号を前記第１の信号制御部から出力させると共に、前記発呼者が使用中のベアラ情報を取得し、そのベアラ情報を前記第１の情報記憶部にベアラ設定のデフォルト値として記憶し、前記第１の信号制御部により前記着局から送信されたベアラ設定要求を受信したときは、その受信信号に含まれる前記ベアラ種別情報と同じベアラ種別が該発局に接続された前記他網にあるときはそのベアラ種別に決定し、該発局に接続された前記他網にないときは前記第１の情報記憶部に記憶されている前記デフォルト値のベアラ種別に決定し、決定したベアラ種別の確立要求を出力する第１の呼制御部と、
前記第１の呼制御部から出力された前記確立要求内の前記ベアラ種別を確認し、ベアラ確立のためのベアラ設定を行うと共に、前記第１の信号制御部からベアラ設定応答信号を送信させる第１のベアラ制御部とを有し、
前記着局は、
制御信号の送受信を行う第２の信号制御部と、
呼設定情報を記憶し、読み出される第２の情報記憶部と、
前記第２の信号制御部により受信された前記発局からの前記アドレス信号に基づき着信先を決定し、その決定した着信先の接続形態に応じて、ベアラ種別を選択し、選択されたベアラ種別情報のベアラ設定を行うと共に、その設定したベアラ種別の確立要求を出力する第２の呼制御部と、
前記第２の呼制御部から出力された前記確立要求内の前記ベアラ種別を確認し、ベアラ確立のための設定を行うと共に、前記第２の信号制御部から前記発局へベアラ設定要求を送信させる第２のベアラ制御部とを有する
ことを特徴とする呼処理システム。
【請求項６】
前記第２の呼制御部は、前記着信先が他網の局であるときは、その他網の局に接続されている回線種別に対応したベアラ種別として選択し、前記着信先が前記加入者端末であるときには、その加入者端末が契約しているベアラサービスのベアラを選択することを特徴とする請求項４又は５記載の呼処理システム。
【発明の詳細な説明】
【０００１】
【発明の属する技術分野】
本発明は呼処理方法及び呼処理システムに係り、特に呼制御とベアラ制御とを行う呼処理方法及び呼処理システムに関する。
【０００２】
【従来の技術】
図１０は従来の呼処理方法及び呼処理システムの要部の一例のブロック図を示す。同図において、交換機（ＮＷ）１０が回線１１、１２、１３を収容しており、また、制御線１４、加入者端末１５を収容している。また、ＮＷ１０は、中央制御装置２０によりその動作が制御される構成とされている。中央制御装置２０は、制御信号の送受信を行う信号制御部２１、信号制御部２１に制御信号の送受信の要求／応答を行い、必要に応じて情報記憶部２３に呼情報の書き込み／読み出しを行う呼制御部２２、及び呼情報が書き込まれ、読み出される情報記憶部２３より構成されている。
【０００３】
この従来の呼処理方法及び呼処理システムでは、加入者端末１５又は回線１１〜１３のいずれかを介して他網から得られた情報をもとに、着信先にアドレス信号であるＩＡＭを出力する前に、発側呼制御によって選択できる任意のベアラを選択している。なお、本明細書にいう「ベアラ」は、伝達レイヤそのもので、具体的にはＳＴＭ（Synchronous Transfer Mode:同期転送モード）、ＡＴＭ（Asynchronous Transfer Mode:非同期転送モード）、あるいはＩＰなどを指す。
【０００４】
【発明が解決しようとする課題】
上記の従来の呼処理方法及び呼処理システムでは、複数のベアラという考え方がなく、発側呼制御によって選択できる任意のベアラを選択しているため、着側の端末若しくは接続網の形態、ベアラ特性を利用するサービスを意識した選択は不可能である。ここで、「ベアラ特性を利用するサービスを意識した選択が不可能である」とは、例えば、接続先の加入者がＡＴＭ網内である場合、発局から接続先までのベアラを１種類にするためには、ベアラとしてＡＴＭを選択すればよいが、そのような選択ができないことをいう。
【０００５】
本発明は以上の点に鑑みなされたもので、呼制御とベアラ制御とを独立させることにより、呼制御によって得た呼処理情報から、自由にベアラを設定し得る呼処理方法及び呼処理システムを提供することを目的とする。
また、本発明の他の目的は、着側の端末若しくは接続網の形態、ベアラ特性を利用するサービスを意識した選択が可能な呼処理方法及び呼処理システムを提供することにある。
【０００６】
【課題を解決するための手段】
本発明の呼処理方法は上記の目的を達成するため、他網又は加入者端末に接続された発局及び着局の交換機の呼処理を行う呼処理方法において、発呼者から発局に入力されたアドレス信号に基づき、発局が着局を決定してその着局へアドレス信号を送信すると共に、発呼者が使用中のベアラ情報を取得してそのベアラ情報を発局の情報記憶部にベアラ設定のデフォルト値として記憶する第１のステップと、第１のステップにより決定された着局が、発局からのアドレス信号を受信し、そのアドレス信号に基づき着信先を決定する第２のステップと、第２のステップにより決定した着信先の接続形態に応じて、着局がベアラ種別を選択する第３のステップと、第３のステップにより選択されたベアラ種別情報を含む応答信号を、着局から発局へ送信する第４のステップと、発局が応答信号を受信して、その受信信号に含まれるベアラ種別情報と同じベアラ種別が発局に接続された他網にあるときはそのベアラ種別に決定し、発局に接続された他網にないときは情報記憶部に記憶されているデフォルト値のベアラ種別に決定する処理を発局の呼制御部により行い、その決定したベアラ種別の確立要求を発局内のベアラ制御部に対して行う第５のステップと、発局内のベアラ制御部が確立要求内のベアラ種別を確認し、確認したベアラ種別の確立のためのベアラ設定を行うと共に、発局内の信号制御部を介して着局へベアラ設定要求を送信する第６のステップと、着局が、ベアラ設定要求を受信し、その受信信号中から発局で設定したベアラ種別に基づきベアラの設定を行うと共に、ベアラ確立により着局から着信先にアドレス信号を送信し、かつ、発局へベアラ設定応答信号を送信する第７のステップと、発局が、ベアラ設定応答信号を受信してベアラ確立応答を行う第８のステップとを含むことを特徴とする。
【０００７】
この発明では、着局が着信先を決定し、その接続形態に応じてベアラ種別を選択し、それを発局に通知して、ベアラ種別情報のベアラ設定を発局の呼制御部により行わせ、その設定したベアラ種別を発局のベアラ制御部により確認させ、ベアラ確立のための設定を行わせるようにしたため、着局の接続状態を確認してベアラ順方向の設定ができる。
【０００８】
また、上記の目的を達成するため、本発明の呼処理方法は、他網又は加入者端末に接続された発局及び着局の交換機の呼処理を行う呼処理方法において、発呼者から発局に入力されたアドレス信号に基づき、発局が着局を決定してその着局へアドレス信号を送信すると共に、発呼者が使用中のベアラ情報を取得してそのベアラ情報を発局の情報記憶部にベアラ設定のデフォルト値として記憶する第１のステップと、第１のステップにより決定された着局が、発局からのアドレス信号を受信し、そのアドレス信号に基づき着信先を決定する第２のステップと、第２のステップにより決定した着信先の接続形態に応じて、着局がベアラ種別を選択する第３のステップと、着局が第３のステップにより選択されたベアラ種別情報のベアラ設定を行うと共に、その設定したベアラ種別のベアラ設定要求を発局へ送信する第４のステップと、発局がベアラ設定要求を受信して、その受信信号に含まれるベアラ種別情報と同じベアラ種別が発局に接続された他網にあるときはそのベアラ種別に決定し、発局に接続された他網にないときは情報記憶部に記憶されているデフォルト値のベアラ種別に決定する処理を発局の呼制御部により行い、その決定したベアラ種別の確立要求を発局内のベアラ制御部に対して行う第５のステップと、発局内のベアラ制御部が確立要求内のベアラ種別を確認し、確認したベアラ種別の確立のためのベアラ設定を行うと共に、発局内の信号制御部を介して着局へベアラ設定応答信号を送信する第６のステップと、着局が、ベアラ設定応答信号を受信してベアラ確立応答を行う第７のステップとを含むことを特徴とする。
【０００９】
この発明では、着局が着信先を決定し、その接続形態に応じてベアラ種別を選択し、それを発局に通知して、ベアラ種別情報のベアラ設定を発局の呼制御部により行わせ、その設定したベアラ種別を着局及び発局のベアラ制御部により確認させ、ベアラ確立のための設定を行わせるようにしたため、着局の接続状態を確認してベアラ逆方向の設定ができる。
【００１０】
また、本発明は上記の目的を達成するため、上記の第１のステップは、発呼者から発局への情報に基づき決定した着局へアドレス信号を送信する共に、発呼者が使用中のベアラ情報を取得し、そのベアラ情報を情報記憶部にベアラ設定のデフォルト値として記憶することを特徴とする。
【００１３】
また、上記の目的を達成するため、本発明の呼処理システムは、他網又は加入者端末に接続された発局及び着局の交換機の呼処理を行う呼処理システムにおいて、発局は、制御信号の送受信を行う第１の信号制御部と、呼設定情報を記憶し、読み出される第１の情報記憶部と、第１の信号制御部を介して入力された発呼者からの情報に基づき、着局を決定し、その着局へ着信先の接続形態情報を含むアドレス信号を第１の信号制御部から出力させると共に、発呼者が使用中のベアラ情報を取得し、そのベアラ情報を第１の情報記憶部にベアラ設定のデフォルト値として記憶し、第１の信号制御部により着局から送信されたベアラ設定応答信号を受信したときは、そのベアラ設定応答信号に含まれるベアラ種別情報と同じベアラ種別が発局に接続された他網にあるときはそのベアラ種別に決定し、発局に接続された他網にないときは第１の情報記憶部に記憶されているデフォルト値のベアラ種別に決定し、決定したベアラ種別の確立要求を出力する第１の呼制御部と、第１の呼制御部から出力された確立要求内のベアラ種別を確認し、ベアラ確立のためのベアラ設定を行うと共に、第１の信号制御部からベアラ設定要求を送信させる第１のベアラ制御部とを有し、
着局は、制御信号の送受信を行う第２の信号制御部と、呼設定情報を記憶し、読み出される第２の情報記憶部と、第２の信号制御部により受信された発局からのアドレス信号に基づき着信先を決定し、その決定した着信先の接続形態に応じてベアラ種別を選択し、選択したベアラ種別情報を含む応答信号を前記発局へ前記第２の信号制御部から出力させ、ベアラ確立指示によりアドレス信号を着信先へ第２の信号制御部から出力させる第２の呼制御部と、第２の信号制御部により受信された発局からのベアラ設定要求に基づきベアラの設定を開始し、設定終了後にベアラ確立指示を行うと共に、第２の信号制御部からベアラ設定応答信号を出力させる第２のベアラ制御部とを有する構成としたものである。
【００１４】
この発明では、着局が着信先を決定し、その接続形態に応じてベアラ種別を選択し、それを発局に通知して、ベアラ種別情報のベアラ設定を発局の第１の呼制御部により行わせ、その設定したベアラ種別を発局の第１のベアラ制御部により確認させ、ベアラ確立のための設定を行わせるようにしたため、着局の接続状態を確認してベアラ順方向の設定ができる。
【００１５】
また、上記の目的を達成するため、本発明の呼処理システムは、他網又は加入者端末に接続された発局及び着局の交換機の呼処理を行う呼処理システムにおいて、発局は、制御信号の送受信を行う第１の信号制御部と、呼設定情報を記憶し、読み出される第１の情報記憶部と、第１の信号制御部を介して入力された発呼者からの情報に基づき、着局を決定し、その着局へ着信先の接続形態情報を含むアドレス信号を第１の信号制御部から出力させると共に、発呼者が使用中のベアラ情報を取得し、そのベアラ情報を第１の情報記憶部にベアラ設定のデフォルト値として記憶し、第１の信号制御部により着局から送信されたベアラ設定要求を受信したときは、その受信信号に含まれるベアラ種別情報と同じベアラ種別が発局に接続された他網にあるときはそのベアラ種別に決定し、発局に接続された他網にないときは第１の情報記憶部に記憶されているデフォルト値のベアラ種別に決定し、決定したベアラ種別の確立要求を出力する第１の呼制御部と、第１の呼制御部から出力された確立要求内のベアラ種別を確認し、ベアラ確立のためのベアラ設定を行うと共に、第１の信号制御部からベアラ設定応答信号を送信させる第１のベアラ制御部とを有し、
着局は、制御信号の送受信を行う第２の信号制御部と、呼設定情報を記憶し、読み出される第２の情報記憶部と、第２の信号制御部により受信された発局からのアドレス信号に基づき着信先を決定し、その決定した着信先の接続形態に応じて、ベアラ種別を選択し、選択されたベアラ種別情報のベアラ設定を行うと共に、その設定したベアラ種別の確立要求を出力する第２の呼制御部と、第２の呼制御部から出力された確立要求内のベアラ種別を確認し、ベアラ確立のための設定を行うと共に、第２の信号制御部から発局へベアラ設定要求を送信させる第２のベアラ制御部とを有する構成としたものである。これにより着局の接続状態を確認してベアラ逆方向の設定ができる。
【００１８】
【発明の実施の形態】
次に、本発明の実施の形態について図面と共に説明する。図１は本発明になる呼処理方法及び呼処理システムの要部の一実施の形態のブロック図を示す。同図中、図１０と同一構成部分には同一符号を付してある。図１において、交換機（ＮＷ）１０は、ベアラＡの回線１６とベアラＢの回線１７に接続されている。また、交換機１０は中央制御装置３０により制御される構成とされている。中央制御装置３０は、信号制御部３１、呼制御部３２、ベアラ制御部３３及び情報記憶部３４から構成されている。
【００１９】
信号制御部３１は、制御信号の送受信を行う。呼制御部３２は、信号制御部３１に制御信号の送受信の要求／応答を行い、必要に応じて情報記憶部３４に呼情報の読み出し／書き込みや、呼を確立するための設定処理を行う。また、呼制御部３２は、ベアラ制御部３３へベアラ確立要求を送信し、その応答を受信する。ベアラ制御部３３は、信号制御部３１に制御信号の送受信の要求／応答を行い、必要に応じて情報記憶部３４にベアラ情報の読み出し、書き込みを行い、また、ベアラを確立するための設定処理を行う。情報記憶部３４は、呼設定情報の記憶の保持を行う。
【００２０】
本実施の形態は、呼制御の機能であるベアラ制御機能を独立させ、上記のように呼制御部３２とベアラ制御部３３とを構成する。これにより、呼制御部３２は、ベアラを意識することなく、着局との呼制御情報の送受信を行い、その情報を基に使用したいベアラ制御部３３を起動する。それにより、従来の呼制御ではできなかった「着局側の接続」、又は「ベアラの特性を利用するサービス」を意識したベアラの選択を行うことができるものであり、以下、本実施の形態の動作について図２〜図８のフローチャートと共に詳細に説明する。なお、以下の説明では、発側の中央制御装置も着側の中央制御装置も図１の構成であるので、いずれも図１を例にとって説明する。
【００２１】
まず、ＩＡＭ（Initial Address Message:アドレス信号）が、回線を介して他網から、又は加入者１５から発局の信号制御部３１に到達する。すると、信号制御部３１は、呼制御部３２へＩＡＭを送信する。上記のＩＡＭは、呼設定（接続）時、最初に送出される信号であり、サービス内容や次位交換機で経路選択等に必要な情報を含んでいる。
【００２２】
これにより、発局の呼制御部３２は、図２のフローチャートに従った動作をする。すなわち、呼制御部３２は、ＩＡＭを確認し（ステップ１０１）、ＩＡＭ内の情報から発呼者の使用中のベアラ情報を取得し、情報記憶部３４にベアラ設定のデフォルト値として保存する（ステップ１０２）。続いて、呼制御部３２は、ＩＡＭ内の着番号から着局を判断し（ステップ１０３）、着局へＩＡＭを送信するために、ＩＡＭの送信要求を信号制御部３１へ行う（ステップ１０４）。
【００２３】
これにより、発局の信号制御部から着局の信号制御部へＩＡＭが到達する。着局の信号制御部３１は、着局の呼制御部３２へＩＡＭを送信する。これにより、着局の呼制御部３２は、図３のフローチャートに従った動作をする。すなわち、呼制御部３２は、発局からのＩＡＭを確認し（ステップ２０１）、情報記憶部３４にＩＡＭ内の情報を記憶する（ステップ２０２）。続いて、ＩＡＭ内から着番号を取り出し、着番号より着信先の接続形態を確認し（ステップ２０３）、着信先が加入者端末か他局かを判定する（ステップ２０４）。
【００２４】
例えば、着信先が加入者端末であるときには、その加入者が、ベアラ特性を利用したサービスを契約しているかどうか判定し（ステップ２０５）、契約している場合は、情報記憶部３４よりその契約ベアラ種別を読み出して、そのベアラに選択する（ステップ２０６）。なお、加入者がベアラサービスを契約していない場合は、ベアラの選択は行わない。
【００２５】
一方、着信先が他局である場合は、接続形態によりベアラを選択する（ステップ２０７）。すなわち、ＳＴＭ回線と接続されているときはＳＴＭ用ベアラ、ＡＴＭ回線と接続されているときはＡＴＭ用ベアラ、ＩＰ回線と接続されているときはＩＰ用ベアラというように、接続形態によりベアラを選択する。このようにして、決定した（選択した）ベアラの種別を、ＩＡＭに対応する応答信号に編集し（ステップ２０８）、発局へ選択したベアラの種別を通知するために、ＩＡＭに対する応答信号の送信要求を信号制御部３１に行う（ステップ２０９）。
【００２６】
これにより、着局の信号制御部から発局の信号制御部へＩＡＭの応答信号が到達する。発局の信号制御部３１は、発局の呼制御部３２へ応答信号を送信する。これにより、発局の呼制御部３２は、図４のフローチャートに従った動作をする。すなわち、呼制御部３２は、着局からのＩＡＭの応答信号を確認し（ステップ３０１）、その応答信号より着局にて選択したベアラ種別があるかどうか確認する（ステップ３０２）。
【００２７】
ベアラ種別の選択が行われている場合は、着局にて選択したベアラ種別を応答信号から取り出し、設定を行う（ステップ３０３）。ベアラ種別の選択が行われていない場合は、着局の情報記憶部３４に設定されているデフォルト値のベアラ種別を取り出して、そのベアラ種別を設定する（ステップ３０４）。ステップ３０３又は３０４のベアラ種別設定後は、発局の呼制御部３２は発局のベアラ制御部３３へベアラ確立要求を行う（ステップ３０５）。
【００２８】
すると、発局のベアラ制御部３３は、図５のフローチャートに従った動作を行う。すなわち、まず呼制御部３２からのベアラ確立要求を確認し（ステップ４０１）、そのベアラ確立要求内のベアラ種別を取り出し、ベアラ種別を確認し、ベアラ確立のための設定を行う（ステップ４０２）。発局のベアラ種別設定終了後、着局に対するベアラ設定要求信号の送信要求を信号制御部３１へ行う（ステップ４０３）。
【００２９】
これにより、発局の信号制御部から着局の信号制御部へベアラ設定要求信号が到達する。着局の信号制御部３１は、着局のベアラ制御部３３へベアラ設定要求信号を送信する。これにより、着局のベアラ制御部３３は、図６のフローチャートに従った動作をする。すなわち、ベアラ制御部３３は、発局からのベアラ設定要求信号を確認し（ステップ５０１）、ベアラ設定要求信号内から発側にて設定を行ったベアラ情報を取り出し、その情報を基にベアラの設定を開始する（ステップ５０２）。
【００３０】
ベアラの設定が終了後に、ベアラ設定終了の通知を発側ベアラ制御部に対して行うために、ベアラ設定応答信号の送信要求を着局の信号制御部３１に行い（ステップ５０３）、着局の呼制御部３２に対してはベアラ設定情報の設定、ベアラ確立指示を行う（ステップ５０４）。
【００３１】
これにより、着局の信号制御部から発局の信号制御部へベアラ設定応答信号が到達する。発局の信号制御部３１は、発局のベアラ制御部３３へベアラ設定応答信号を送信する。これにより、発局のベアラ制御部３３は、図７のフローチャートに従った動作をする。すなわち、ベアラ制御部３３は、着局からのベアラ設定応答信号を確認し（ステップ６０１）、その応答信号に基づき、発局の呼制御部３２にベアラ確立応答を行い、ベアラ確立が終了したことを通知する（ステップ６０２）。
【００３２】
また、ステップ５０４の着局のベアラ制御部３３から同じ着局の呼制御部３２に対して、ベアラ確立要求がされるが、着局の呼制御部３２は、このベアラ確立要求を受けると、図８に示すフローチャートに従い、まず、ベアラ確立指示を確認し（ステップ７０１）、ベアラの設定情報を取り出し、情報記憶部より受信したＩＡＭ内の情報と合わせ、ＩＡＭの編集を行い、着局又は着端末にＩＡＭの送信要求を着局の信号制御部に行う。
【００３３】
これ以降は、従来の呼処理方法及び呼処理システムと同様に、着局又は着端末から発局に対して、ＡＣＭ（Address Complete Message:アドレス完了メッセージ）が送信されて着局又は着端末に着呼するのに必要な情報が受信された旨等を発交換機に示した後、ＡＮＭ（ANswer Message:応答メッセージ）が送信され、発局に通信回線の接続が完了したことを示す。以後、通信が行われる。以上は、図９（Ａ）に示すベアラ順方向設定の場合である。
【００３４】
このように、本実施の形態によれば、着局の接続状態を確認することにより、着側の端末若しくは接続網の形態、ベアラ特性を利用するサービスを意識した選択ができ、また、呼制御によって得た呼処理情報から、自由にベアラを設定できる。
【００３５】
なお、本発明は上記の実施の形態に限定されるものではなく、例えば、図９（Ｂ）のシーケンス図に示すような、着局側から発局側に対してＩＡＭ受信後、直ちにベアラ設定を送信するベアラ逆方向設定も可能である。この場合は、ＩＡＭ応答の必要がなくなるため、有効な手段である。
【００３６】
【発明の効果】
以上説明したように、本発明によれば、呼制御とベアラ制御とを独立させることにより、呼制御により得た着信先の接続状態を確認して、自由にベアラ設定ができる。
【００３７】
また、本発明によれば、着信先の接続状態を確認してベアラの選択ができるようにしたため、着信先の接続状態やベアラ特性を利用するサービスを意識したベアラ選択ができる。例えば、接続先の加入者がＡＴＭ網内である場合、ベアラとしてＡＴＭを選択することができ、これにより、発局から着信先までのベアラをＡＴＭ１種類にでき、このことからプロトコルの変換の処理を不要に
できる。
【００３８】
更に、本発明によれば、ベアラの確立方向を呼の方向と逆方向からのベアラ確立ができ、この場合は、ＩＡＭ応答が不要にでき、迅速な呼処理ができる。
【図面の簡単な説明】
【図１】本発明の一実施の形態の要部のブロック図である。
【図２】本発明におけるＩＡＭ受信時の発局の呼制御部の動作説明用フローチャートである。
【図３】本発明におけるＩＡＭ受信時の着局の動作説明用フローチャートである。
【図４】本発明におけるＩＡＭ応答信号受信時の発局の呼制御部の動作説明用フローチャートである。
【図５】本発明におけるベアラ確立要求受信時の発局のベアラ制御部の動作説明用フローチャートである。
【図６】本発明におけるベアラ設定要求受信時の着局のベアラ制御部の動作説明用フローチャートである。
【図７】本発明におけるベアラ設定応答受信時の発局のベアラ制御部の動作説明用フローチャートである。
【図８】本発明におけるベアラ確立指示入力時の着局の呼制御部の動作説明用フローチャートである。
【図９】本発明における発局と着局との間の各例のシーケンス図である。
【図１０】従来の要部の一例のブロック図である。
【符号の説明】
１０  交換機（ＮＷ）
１５  加入者
３０  中央制御装置
３１  信号制御部
３２  呼制御部
３３  ベアラ制御部
３４  情報記憶部
【図１】
0003726687.tif 000002
【図２】
0003726687.tif 000003
【図３】
0003726687.tif 000004
【図４】
0003726687.tif 000005
【図５】
0003726687.tif 000006
【図６】
0003726687.tif 000007
【図７】
0003726687.tif 000008
【図８】
0003726687.tif 000009
【図９】
0003726687.tif 000010
【図１０】
0003726687.tif 000011